(57)【要約】【課題】機器構成の複雑化を招くことなく、無線タグ回路素子に対する情報送受信結果に基づき別の無線タグ回路素子を備えた無線タグを発行する。【解決手段】チケット用無線タグ回路素子Ｔoｔに対し、チケット用通信プロトコルを用いて情報送受信可能なチケット用アンテナ１４と、カード用無線タグ回路素子Ｔoｃに対し、チケット用通信プロトコルと異なる少なくとも１つのカード用通信プロトコルを用いて情報送受信可能なカード用アンテナ４とを有し、カード用通信プロトコルを用いて、カード用アンテナ４を介し、カード用無線タグ回路素子Ｔoｃのカード用タグＩＤ及び残高情報を取得する制御手順を行い、取得したカード用無線タグ回路素子Ｔoｃのカード用タグＩＤ及び残高情報に対応し、チケット用アンテナ１４を介し情報送受信を行ったチケット用無線タグ回路素子Ｔoｔを備えたチケット基材テープ１０１を用いて、チケットＴの発券処理を行う。【選択図】図２
2007286756.tif 000002
【特許請求の範囲】
【請求項１】
情報を記憶する第１ＩＣ回路部と情報の送受信を行う第１タグ側アンテナとを備えた第１無線タグ回路素子に対し、タグ発行用通信プロトコルを用いて情報送受信可能な第１装置側アンテナ手段と、
情報を記憶する第２ＩＣ回路部と情報の送受信を行う第２タグ側アンテナとを備えた第２無線タグ回路素子に対し、前記タグ発行用通信プロトコルと異なる少なくとも１つの情報送受用通信プロトコルを用いて情報送受信可能な第２装置側アンテナ手段と、
前記情報送受用通信プロトコルを用いて、前記第２装置側アンテナ手段を介し、前記第２無線タグ回路素子の無線タグ情報を取得する情報取得手段と、
この情報取得手段で取得した前記第２無線タグ回路素子の無線タグ情報に対応し、前記第１装置側アンテナ手段を介し情報送受信を行った前記第１無線タグ回路素子を備えたタグ媒体を用いて、無線タグの発行処理を行う発行処理手段と
を有することを特徴とする無線タグ発行機。
【請求項２】
請求項１記載の無線タグ発行機において、
前記第１装置側アンテナ手段と、前記第２装置側アンテナ手段とは、互いに通信領域が異なる範囲となるように、構成されていることを特徴とする無線タグ発行機。
【請求項３】
請求項２記載の無線タグ発行機において、
装置本体の外郭を構成する筐体を有し、
前記第１及び第２装置側アンテナ手段は、第１装置側アンテナ手段の通信領域は筐体の内部側、第２装置側アンテナ手段の通信領域は筐体の外部側となるように、構成されていることを特徴とする無線タグ発行機。
【請求項４】
請求項１乃至３のいずれか１項記載の無線タグ発行機において、
前記第２装置側アンテナ手段は、互いに通信領域が異なる複数のアンテナを備えていることを特徴とする無線タグ発行機。
【請求項５】
請求項４記載の無線タグ発行機において、
前記情報取得手段は、前記第２装置側アンテナ手段の複数のアンテナのいずれか一方を介し、前記情報送受用通信プロトコルを用いて、前記第２無線タグ回路素子の識別情報を取得し、
前記発行処理手段は、前記情報取得手段が、前記第２装置側アンテナ手段のいずれのアンテナを介し前記第２無線タグ回路素子の識別情報を取得したかに応じて、前記無線タグの発行処理を行うことを特徴とする無線タグ発行機。
【請求項６】
請求項１乃至５のいずれか１項記載の無線タグ発行機において、
前記発行処理手段は、
前記タグ媒体を搬送する搬送手段と、
前記タグ発行用通信プロトコルを用いて、前記第１装置側アンテナ手段を介し、前記第１無線タグ回路素子に所定の無線タグ情報を書き込む情報書き込み手段と、
前記タグ媒体又はこれに貼り合わされる被印字媒体に対し、前記情報取得手段で取得した前記第２無線タグ回路素子の無線タグ情報に対応する所定の印字を行う印字手段と
を備えることを特徴とする無線タグ発行機。
【請求項７】
請求項１乃至６のいずれか１項記載の無線タグ発行機において、
前記情報取得手段で取得した前記第２無線タグ回路素子の無線タグ情報に基づき、無線タグ発行と関連付けられた所定の情報変更処理を行う情報処理手段を有し、
前記発行処理手段は、この情報処理手段で行われる前記情報変更処理に対応して前記無線タグの発行処理を行う
ことを特徴とする無線タグ発行機。
【請求項８】
請求項１乃至７のいずれか１項記載の無線タグ発行機において、
前記発行処理手段は、
前記情報取得手段で取得した前記第２無線タグ回路素子の無線タグ情報に対応し、前記タグ媒体を用いて、前記無線タグとしての有価証券類又はこれに準ずる物品類の発行処理を行うことを特徴とする無線タグ発行機。
【発明の詳細な説明】
【技術分野】
【０００１】
本発明は、外部と情報の無線通信を行う無線タグ回路素子を備えた無線タグを発行する無線タグ発行機に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化が進められつつある。
【０００３】
このようなＲＦＩＤシステムを自動販売機におけるいわゆる電子マネーを用いた商取引に適用したものとして、例えば特許文献１記載のものがある。すなわち、この従来技術では、電子マネーとして機能する無線タグ（非接触ＩＣカード）により物品を購入可能な自動販売機が開示されている。利用者は、自分が買いたい商品に対応する位置に設けられたリーダ／ライタ（非接触ＩＣカードリーダ／ライタ）に対し自己の所有する無線タグを近づけ、その無線タグに備えられた無線タグ回路素子と通信を行わせることにより、無線タグ回路素子に記憶されている残高情報から当該商品価格の減算処理（＝すなわち決済）を行う。
【０００４】
【特許文献１】特開２００１−２３００８号公報
【発明の開示】
【発明が解決しようとする課題】
【０００５】
前述したように実用化が進むにつれて無線タグの活用はますます多岐にわたっており、商取引の場面においても今後はより広範囲の拡張・応用が予想されている。例えば、電子マネーとしての無線タグとの通信により商取引（決済）が完了した後、これに対応して、その商取引結果に対応した記憶情報を書き込んだ別の（ラベルやカード等の形態からなる）無線タグを発行するようなニーズも考えられるが、上記従来技術ではそのような場合にまでは特に配慮されていない。したがって、このようなニーズを考えた場合には、自動販売機とは別の無線タグ発行機（タグラベル作成装置等）を設けて互いにネットワーク接続し、自動販売機側のリーダ／ライタでの商取引（決済）結果を無線タグ発行機側の書き込み装置（ライタ）へ転送して対応する情報を書き込む構成となり、必然的に無線タグとの通信機器が２つ必要となり、機器構成の複雑化を招く。
【０００６】
本発明の目的は、機器構成の複雑化を招くことなく、無線タグ回路素子に対する情報送受信結果に基づき別の無線タグ回路素子を備えた無線タグを発行することができる無線タグ発行機を提供することにある。
【課題を解決するための手段】
【０００７】
上記目的を達成するために、第１の発明は、情報を記憶する第１ＩＣ回路部と情報の送受信を行う第１タグ側アンテナとを備えた第１無線タグ回路素子に対し、タグ発行用通信プロトコルを用いて情報送受信可能な第１装置側アンテナ手段と、情報を記憶する第２ＩＣ回路部と情報の送受信を行う第２タグ側アンテナとを備えた第２無線タグ回路素子に対し、前記タグ発行用通信プロトコルと異なる少なくとも１つの情報送受用通信プロトコルを用いて情報送受信可能な第２装置側アンテナ手段と、前記情報送受用通信プロトコルを用いて、前記第２装置側アンテナ手段を介し、前記第２無線タグ回路素子の無線タグ情報を取得する情報取得手段と、この情報取得手段で取得した前記第２無線タグ回路素子の無線タグ情報に対応し、前記第１装置側アンテナ手段を介し情報送受信を行った前記第１無線タグ回路素子を備えたタグ媒体を用いて、無線タグの発行処理を行う発行処理手段とを有することを特徴とする。
【０００８】
本願第１発明においては、利用者が所持する部材（例えばカードなど）に備えられた第２無線タグ回路素子に対し、第２装置側アンテナ手段によって情報送受信が行われ、当該第２無線タグ回路素子の無線タグ情報が情報取得手段によって取得される。その後、その取得された第２無線タグ回路素子の無線タグ情報に対応し、第１装置側アンテナ手段を介して第１無線タグ回路素子と情報送受信が行われ、この第１無線タグ回路素子を備えたタグ媒体を用いて発行処理手段で無線タグの発行処理が行われる。このとき、第１装置側アンテナ手段での情報送受信ではタグ発行用通信プロトコルを用い、第２装置側アンテナ手段での情報送受信ではこれと異なる情報送受用通信プロトコルを用いるので、相互に混信の発生が防止される。
【０００９】
このようにして、１つの装置で、混信を防止しつつ、第２無線タグ回路素子から情報を取得する一方、第１無線タグ回路素子に対しその取得した情報に対応した情報送受信を行って無線タグを発行することができるので、それぞれを別々の装置で行う場合に比べ、機器構成の簡素化を図ることができ、また動作の確実性・信頼性を向上させつつ迅速に処理を行える。
【００１０】
第２の発明は、上記第１発明において、前記第１装置側アンテナ手段と、前記第２装置側アンテナ手段とは、互いに通信領域が異なる範囲となるように、構成されていることを特徴とする。
【００１１】
第２無線タグ回路素子から情報を取得する一方、第１無線タグ回路素子に対しその取得した情報に対応した情報送受信を行う際、それぞれ異なる通信領域とすることで、例えば装置外部の第２無線タグ回路素子から情報を取得し、装置内部の第１無線タグ回路素子に情報送受信を行って無線タグの発行処理を行うことが可能となる。また、通信エリアが異なることで、さらに混信を抑制できる効果もある。
【００１２】
第３の発明は、上記第２発明において、装置本体の外郭を構成する筐体を有し、前記第１及び第２装置側アンテナ手段は、第１装置側アンテナ手段の通信領域は筐体の内部側、第２装置側アンテナ手段の通信領域は筐体の外部側となるように、構成されていることを特徴とする。
【００１３】
これにより、装置外部の第２無線タグ回路素子から情報を取得し、装置内部の第１無線タグ回路素子に情報送受信を行って無線タグの発行処理を行うことができるので、装置の構成を簡便にできる。
【００１４】
第４の発明は、上記第１乃至第３発明のいずれかにおいて、前記第２装置側アンテナ手段は、互いに通信領域が異なる複数のアンテナを備えていることを特徴とする。
【００１５】
これにより、いずれのアンテナにより第２無線タグ回路素子と通信が行われたかに応じて、異なる態様で発行処理を行うことが可能となる。
【００１６】
第５の発明は、上記第４発明において、前記情報取得手段は、前記第２装置側アンテナ手段の複数のアンテナのいずれか一方を介し、前記情報送受用通信プロトコルを用いて、前記第２無線タグ回路素子の識別情報を取得し、前記発行処理手段は、前記情報取得手段が、前記第２装置側アンテナ手段のいずれのアンテナを介し前記第２無線タグ回路素子の識別情報を取得したかに応じて、前記無線タグの発行処理を行うことを特徴とする。
【００１７】
これにより、いずれのアンテナにより第２無線タグ回路素子と通信が行われたかに応じて、異なる態様で発行処理を行うことができる。この結果、利用者は、いずれの発行処理を希望するか（どの無線タグの発行を希望するか）に応じて、第２無線タグ回路素子に通信を行わせるアンテナを選択する（例えば通信させたい側のアンテナに対し、第２無線タグ回路素子を備えた部材を近接又は接触させる等）ことにより、簡単に所望の無線タグを発行させることができる。
【００１８】
第６の発明は、上記第１乃至第５発明のいずれかにおいて、前記発行処理手段は、前記タグ媒体を搬送する搬送手段と、前記タグ発行用通信プロトコルを用いて、前記第１装置側アンテナ手段を介し、前記第１無線タグ回路素子に所定の無線タグ情報を書き込む情報書き込み手段と、前記タグ媒体又はこれに貼り合わされる被印字媒体に対し、前記情報取得手段で取得した前記第２無線タグ回路素子の無線タグ情報に対応する所定の印字を行う印字手段とを備えることを特徴とする。
【００１９】
搬送手段で搬送されるタグ媒体の第１無線タグ回路素子に情報書き込み手段で無線タグ情報を書き込み、そのタグ媒体（又は被印字媒体）に対し印字手段で第２無線タグ回路素子の無線タグ情報に対応する印字を行うことで、情報書き込み及び印字が施された印字付きの無線タグを生成し発行することができる。
【００２０】
第７の発明は、上記第１乃至第６発明のいずれかにおいて、前記情報取得手段で取得した前記第２無線タグ回路素子の無線タグ情報に基づき、無線タグ発行と関連付けられた所定の情報変更処理を行う情報処理手段を有し、前記発行処理手段は、この情報処理手段で行われる前記情報変更処理に対応して前記無線タグの発行処理を行うことを特徴とする。
【００２１】
これにより、第２無線タグ回路素子側の情報変更処理と第１無線タグ回路素子を用いた無線タグの発行処理とを一対一に対応付け、信頼性の高い確実な無線タグの発行を行うことができる。
【００２２】
第８の発明は、上記第１乃至第７発明のいずれかにおいて、前記発行処理手段は、前記情報取得手段で取得した前記第２無線タグ回路素子の無線タグ情報に対応し、前記タグ媒体を用いて、前記無線タグとしての有価証券類又はこれに準ずる物品類の発行処理を行うことを特徴とする。
【００２３】
これにより、利用者が所持する部材（例えばカードなど）の第２無線タグ回路素子から情報を取得し、これに対応した有価証券類（又はこれに準ずる物品類）を発行することができる。
【発明の効果】
【００２４】
本発明によれば、機器構成の複雑化を招くことなく、無線タグ回路素子に対する情報送受信結果に基づき別の無線タグ回路素子を備えた無線タグを発行することができる。
【発明を実施するための最良の形態】
【００２５】
以下、本発明の一実施の形態を図面を参照しつつ説明する。
【００２６】
図１は、本実施形態の無線タグ発行機が適用されるチケット発券システムの外観を表す斜視図である。このチケット発券システム１は、例えば公園や動物園などの有料施設へ入場するためのチケット（入場券）を入手するためのものであり、この例では入場しようとするユーザが予め購入等により所持している専用のプリペイドカード（いわゆる電子マネー等を含む）を利用してチケット発券装置にチケットを発券させるものである。
【００２７】
図１において、チケット発券システム１は、発券所に設置されたチケットＴの自動発券機であるチケット発券装置（装置本体）２と、不特定のユーザが所持する上記プリペイドカードＣとから構成されている。
【００２８】
プリペイドカードＣは、紙又はプラスチックなどからなるカード本体Ｃ１を有しており、そのカード本体Ｃ１の片面にはチケットＴの購入に使用可能な残高情報と識別情報（以下、カード用タグＩＤという）を記憶しつつ外部との無線通信によりその残高情報の読み取りと書き換えが可能なカード用無線タグ回路素子（第２無線タグ回路素子）Ｔoｃが内部に設けられている（詳しくは後述）。
【００２９】
そして、本実施形態によるチケット発券装置２は、装置全体を収容する筐体３を有しており、その前面には上記プリペイドカードＣに備えられたカード用無線タグ回路素子Ｔoｃに対し非接触での無線通信が可能なカード用アンテナ４（図中「プリペイドカードチェック部」と表記している部分）と、ユーザ５に対する各種の指示や情報を表示する表示部６とが表設されている。また、筐体３の側面には、発券されたチケットＴを排出する排出口７が形成されており、その下方には排出されたチケットＴを受ける受け皿（トレイ、スタッカ）８が設けられている。ユーザ５はチケットＴを購入するために、図示するようにプリペイドカードＣをカード用アンテナ４の前にかかげて近接（又は接触）させ、所定の条件（残高情報に含まれる残高金額が入場料より多い）が満たされていることでチケットＴが発券される。
【００３０】
チケット発券装置２により発券（発行）されたチケット（発行対象の無線タグ；有価証券類に準ずる物品類）Ｔは、紙などからなるチケット本体Ｔ１の表面に発券日時、使用期限、及び適用範囲などの発券情報が印字されている（後述の図５参照）。チケット本体Ｔ１の裏面には、そのような発券情報と識別情報（以下、チケット用タグＩＤという）を記憶しつつ外部との無線通信によりその発券情報の読み取りと書き換えが可能なチケット用無線タグ回路素子（第１無線タグ回路素子）Ｔoｔが設けられている（詳しくは後述）。
【００３１】
このチケットＴは、例えば図示しない入場ゲートなどにおいて、無線通信により上記チケット用無線タグ回路素子Ｔoｔが記憶する発券情報を読み取らせ、適用条件を満たした場合にユーザ５をその入場ゲートに通過させるものである。
【００３２】
図２は、上記チケット発券装置２の詳細構造を表す概念的構成図である。なお、図示の煩雑を避けるためにカード用アンテナ４と表示部６を筐体３の上方に位置させて示している。
【００３３】
図２において、チケット発券装置２には、凹所としてのカートリッジホルダ部（図示せず）が設けられ、このホルダ部に、カートリッジ１００が着脱可能に取り付けられている。またチケット発券装置２は、カートリッジ１００を嵌合させる上記カートリッジホルダ部を備えるとともに外郭を構成する筐体３と、チケット基材テープ１０１に所定の印字（印刷）を行う印字ヘッド（この例ではサーマルヘッド）１０と、チケット基材テープ１０１をカートリッジ１００から繰り出すためのテープ送りローラ駆動軸１２と、チケット基材テープ１０１に備えられるチケット用無線タグ回路素子Ｔoｔ（詳細は後述）との間で、ＵＨＦ帯、マイクロ波帯等適宜の周波数帯域の電波を用いてチケット用通信プロトコル（タグ発行用通信プロトコル）に準拠する無線通信により信号の送受を行うチケット用アンテナ（第１装置側アンテナ手段）１４と、プリペイドカードＣに備えられるカード用無線タグ回路素子Ｔoｃとの間でＵＨＦ帯、マイクロ波帯あるいは短波帯等適宜の周波数帯域の電波を用いてカード用通信プロトコル（上記チケット用通信プロトコルとは異なる。情報送受用通信プロトコル）に準拠する無線通信により信号の送受を行うカード用アンテナ（第２装置側アンテナ手段）４と、例えばＬＣＤパネルなどからなる表示部６と、上記チケット基材テープ１０１を所定のタイミングで所定の長さに切断しカード状の上記チケットＴを生成するカッタ１５と、上記チケット用通信プロトコルでの無線通信による信号送受時においてチケット用無線タグ回路素子Ｔoｔをチケット用アンテナ１４に対向する所定のチケットアクセスエリア（第１装置側アンテナ手段の通信領域）Ａｔに設定保持するとともに、切断後のチケットＴを案内するための一対の搬送ガイド１３と、その案内されたチケットＴを排出口７へと搬送し送出する送出ローラ１７と、排出口７におけるチケットの有無を検出する排出センサ１８とを有している。
【００３４】
一方、チケット発券装置２はまた、上記チケット用アンテナ１４を介し上記チケット用無線タグ回路素子Ｔoｔへアクセスする（読み取り又は書き込みを行う）とともに上記カード用アンテナ４を介し上記カード用無線タグ回路素子Ｔoｃへアクセスする（読み取り又は書き込みを行う）ための高周波回路２１と、この高周波回路２１を上記チケット用アンテナ１４又は上記カード用アンテナ４のいずれか一方に接続するよう配線を切り換えるアンテナ切り換えスイッチ２０と、それぞれ互いに異なる通信プロトコルに基づいてチケット用無線タグ回路素子Ｔoｔ又はカード用無線タグ回路素子Ｔoｃから読み出された信号を処理するための信号処理回路２２と、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記表示部６、高周波回路２１、切り換えスイッチ２０、信号処理回路２２、カートリッジ駆動回路２４、印刷駆動回路２５、ソレノイド駆動回路２７、送出ローラ駆動回路２９等を介し、チケット発券装置２全体の動作を制御するための上記制御回路３０とを有する。
【００３５】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。
【００３６】
また、カートリッジ１００の内部には、この例では帯状の上記チケット基材テープ１０１が巻回されたチケット基材ロール１０２と、このチケット基材ロール１０２から繰り出されたチケット基材テープ１０１をガイドするガイドローラ１０３と、上記チケット基材テープ１０１を押圧しカートリッジ１００の外部へテープ送りをするテープ送りローラ１０４とを有する。
【００３７】
チケット基材ロール１０２は、感熱テープの長手方向に複数のチケット用無線タグ回路素子Ｔoｔが所定の等間隔で順次配設された上記チケット基材テープ１０１を巻回している。テープ送りローラ１０４は、カートリッジ１００外に設けた例えばパルスモータである上記カートリッジ用モータ２３（前述の図２参照）の駆動力が上記テープ送りローラ駆動軸１２に伝達されることによって回転駆動される。
【００３８】
上記構成において、カートリッジ１００が上記チケット発券装置２のカートリッジホルダ部に装着されロールホルダ（図示せず）が離反位置から当接位置に移動されると、チケット基材テープ１０１が印字ヘッド１０とプラテンローラ１０５との間に狭持されるとともに、チケット基材テープ１０１がテープ送りローラ１０４とサブローラ１０６との間に狭持される。そして、カートリッジ用モータ２３の駆動力によってテープ送りローラ１０４が回転駆動される。このとき、前述のテープ送りローラ駆動軸１２と上記サブローラ１０６及びプラテンローラ１０５はギヤ（図示せず）にて連結されており、テープ送りローラ駆動軸１２の駆動に伴いテープ送りローラ１０４、サブローラ１０６、及びプラテンローラ１０５が回転し、チケット基材ロール１０２からチケット基材テープ１０１が繰り出され、上述のようにテープ送りローラ１０４へ供給される。一方、上記印刷駆動回路２５により印字ヘッド１０の複数の発熱素子が通電される。この結果、チケット基材テープ１０１の表面に印字Ｒ（後述の図５参照）が印刷される。そして、印刷が終了したチケット基材テープ１０１が上記テープ送りローラ１０４及びサブローラ１０６によりカートリッジ１００外へと搬出される。詳細な説明及び図示を省略するが、チケット基材テープ１０１にはチケット用無線タグ回路素子Ｔoｔの位置に対応してセンサマークが設けられており周知の反射型センサにより該センサマークを検出することにより繰り出し量が制御されている。
【００３９】
チケット用アンテナ１４は、この例ではダイポールアンテナで構成されており、対向する上記搬送ガイド１３全体を収容する空間のチケットアクセスエリアＡｔの範囲に対して無線通信できるようになっている。また、カード用アンテナ４は、この例では平面アンテナで構成されており、はチケット発券装置２の筐体３の前方側（ユーザ５側、すなわち図１における手前側）に向けた所定の空間のカードアクセスエリア（第２装置側アンテナ手段の通信領域）Ａｃの範囲に対して無線通信できるようになっている。この例では、チケットアクセスエリアＡｔは筐体３内部において形成されるものであり、カードアクセスエリアＡｃは筐体３外部において形成されるものであって、両エリアは互いに重複することはない配置で形成されるようになっている。
【００４０】
図３は、上記高周波回路２１の詳細機能及びその周辺の構成を表す機能ブロック図である。この図３において、高周波回路２１は、上記切り換えスイッチを経て２つのチケット用アンテナ１４及びカード用アンテナ４（以下適宜、装置側アンテナ４，１４と総称する）を介しそれぞれチケット用無線タグ回路素子Ｔoｔ又はカード用無線タグ回路素子Ｔoｃ（以下適宜、無線タグ回路素子Ｔoｔ，Ｔoｃと総称する）に対して信号を送信する送信部３２と、装置側アンテナ４，１４により受信された無線タグ回路素子Ｔoｔ，Ｔoｃからの反射波を入力する受信部３３と、送受分離器３４とから構成される。
【００４１】
送信部３２は、制御回路３０からの制御信号に応じ、無線タグ回路素子Ｔoｔ，ＴoｃのＩＣ回路部１５１の無線タグ情報にアクセスする(この例では読み取り、後述の変形例では書き込みも含む)ための搬送波を発生させる水晶振動子３５、ＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、ＵＨＦ帯、マイクロ波帯等の適宜の周波数を用いており、上記送信アンプ３９の出力は、送受分離器３４を介して切り換えスイッチ２０を経て装置側アンテナ４，１４に伝達されて無線タグ回路素子Ｔoｔ，ＴoｃのＩＣ回路部１５１に供給される。なお、無線タグ情報は上記のように変調した信号に限られず、単なる搬送波のみの場合もある。
【００４２】
受信部３３は、装置側アンテナ４，１４により受信された無線タグ回路素子Ｔoｔ，Ｔoｃからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記装置側アンテナ４，１４により受信された無線タグ回路素子Ｔoｔ，Ｔoｃからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００４３】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のチケット発券装置２では、Ｉ−Ｑ直交復調によって無線タグ回路素子Ｔoｔ，Ｔoｃからの反射波の復調が行われる。
【００４４】
そして上述したように送受分離器３４、チケット用アンテナ１４、及びカード用アンテナ４に接続されている切り換えスイッチ２０は、例えば、周知の高周波用ＦＥＴやダイオードあるいはリレーを用いたスイッチ回路であり、制御回路３０からの選択信号によりチケット用アンテナ１４、カード用アンテナ４のいずれか一つを送受分離器３４に接続するものである。
【００４５】
図４は、上記無線タグ回路素子Ｔoｔ，Ｔoｃの機能的構成を表す機能ブロック図である。前述したようにチケット用無線タグ回路素子Ｔoｔとカード用無線タグ回路素子Ｔoｃは互いに異なる通信プロトコルで無線通信するものであるが、ハードウェア的には同じ構成のものであり、以下においてその共通するハードウェア構成について説明する。図４において、無線タグ回路素子Ｔoｔ，Ｔoｃは、チケット発券装置２側のチケット用アンテナ１４とカード用アンテナ４のそれぞれに対応した通信プロトコルを用いて非接触で信号の送受信を行う上記アンテナ（第１タグ側アンテナ、第２タグ側アンテナ）１５２と、このアンテナ１５２に接続された上記ＩＣ回路部１５１とを有している。
【００４６】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoｔ，Ｔoｃの作動を制御するための上記制御部１５５とを備えている。
【００４７】
変復調部１５８は、アンテナ１５２により受信された上記チケット発券装置２のアンテナ１４からの通信信号の復調を行うと共に、上記制御部１５５からの応答信号に基づき、アンテナ１５２が受信した搬送波を変調し、アンテナ１５２より反射波として再送信する。
【００４８】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００４９】
クロック抽出部１５６は受信した信号からクロック成分を抽出して制御部１５５にクロックを抽出するものであり、受信した信号のクロック成分の速度に対応したクロックを制御部１５５に供給する。
【００５０】
発券されたチケットＴが備えるチケット用無線タグ回路素子Ｔoｔ，Ｔoｃのメモリ部１５７には、チケット用タグＩＤと発券情報（発券情報についてはチケット用タグＩＤを用い、チケット発券装置２にネットワーク接続された図示しないデータベースから取得するようにしてもよい）が記憶されており、購入時のプリペイドカードＣが備えるカード用無線タグ回路素子Ｔoｃのメモリ部１５７にはカード用タグＩＤと残高情報（残高情報についてはカード用タグＩＤを用い、チケット発券装置２にネットワーク接続された図示しないデータベースから取得するようにしてもよい）が記憶されている。チケット用タグＩＤとカード用タグＩＤは個々のチケットＴ又は個々のプリペイドカードＣを一意的に特定できる識別情報であり、さらにチケット用とカード用の種類を区別できるデータ構成となっている。
【００５１】
ここで、上述したようにチケット用無線タグ回路素子Ｔoｔとカード用無線タグ回路素子Ｔoｃはそれぞれ互いに異なる通信プロトコル（チケット用通信プロトコル、カード用通信プロトコル）で無線通信を行うものである。これら通信プロトコルの使い分けは、例えば、チケット発券装置２の制御回路３０又は信号処理回路２２における信号処理の違いにより異なるタイプの上記「ＴＸ＿ＡＳＫ」信号を生成することで使い分けられる。また、無線タグ回路素子Ｔoｔ，Ｔoｃにおいては、制御部１５５又は変復調部１５８における信号処理の違いにより使い分けられるものである。これにより、これら異なる通信プロトコルどうしでは通信制御上互いに互換性がなく、すなわち相互間で一部でも情報の送受が行われることなく相互に干渉（混信）しないものとなっている。
【００５２】
図５（ａ）及び図５（ｂ）は、チケット用無線タグ回路素子Ｔoｔを備えたチケット基材テープ（タグ媒体、被印字媒体）１０１から、上述のようにチケット用無線タグ回路素子Ｔoｔの書き込み及び印字が行われ切断が完了して発行されたチケットＴの外観の一例を表す図であり、図５（ａ）は上面図、図５（ｂ）は下面図である。
【００５３】
図５（ａ）に示すように、チケットＴの上面（表面）には、チケットＴ発券時の発券情報を含む印字情報（この例では「○○公園入場券：￥５００△月×日（当日有効）Ｒが印字される発券印字領域Ｆが設けられている。また、図５（ｂ）に示すように、チケットＴの下面（裏面）にはチケット用無線タグ回路素子Ｔoｔが設けられている。
【００５４】
図６は、上述したプリペイドカードＣのカード用無線タグ回路素子Ｔoｃとの情報通信により決済処理を行うとともに、チケットＴのチケット用無線タグ回路素子Ｔoｔとの情報通信により使用可能なチケットＴの発券を行う際に、制御回路３０によって実行される制御手順を表すフローチャートである。なお、プリペイドカードＣのカード用無線タグ回路素子Ｔoｃには、あらかじめカード用タグＩＤと残高情報が記憶されているものとする。
【００５５】
この図６において、チケット発券装置２に電源が投入されるとこのフローが開始される。まずステップＳ５において、表示部６に制御信号を出力して通常の待機状態を表す待機画面（特に図示しないが、例えば「アンテナ部にプリペイドカードを近づけて下さい」の文字表示など）を表示させ、次のステップＳ１０へ移り、切り換えスイッチ２０に制御信号を出力して高周波回路２１をカード用アンテナ４に接続するよう切り換える。
【００５６】
次にステップＳ１５へ移り、カード用アンテナ４を介してチケット発券装置２外部のカードアクセスエリアＡｃ内にプリペイドカードＣのカード用無線タグ回路素子Ｔoｃが検出されたか否かを判定する。カード用無線タグ回路素子Ｔoｃの検出方法についてはここで特に詳しく説明しないが、信号処理回路２２及び高周波回路２１を介し公知の手法により全てのカード用無線タグ回路素子Ｔoｃに対して応答を要求する応答要求信号（質問信号）をカード用通信プロトコルによって平面アンテナ４から送信し続け、それに対してカード用無線タグ回路素子Ｔoｃが発信する全ての応答信号を同じ平面アンテナ４で受信する。そしてこのステップＳ１５では、ユーザ５がプリペイドカードＣをカード用アンテナ４の前にかかげて（図１参照）、カード用無線タグ回路素子ＴoｃがカードアクセスエリアＡｃ内に入る（図２参照）ことにより上記応答要求信号に対応した応答信号（第２ＩＣ回路部としてカード用無線タグ回路素子ＴoｃのＩＣ回路部１５１が記憶していたカード用タグＩＤや残高情報を含む）が受信されるまでループし、応答要求信号を繰り返し送信し続ける。
【００５７】
次にステップＳ２０へ移り、上記ステップＳ１５で受信した応答信号に所定の処理を行い、残高情報を取得する。
【００５８】
次にステップＳ２５へ移り、上記ステップＳ２０で取得した残高情報に含まれる残高金額が入場料以上であるか否かを判定する。残高金額が入場料より少ない場合、判定は満たされず、すなわちチケットＴを購入するための決済ができないものとみなされ、ステップＳ３０へ移り、表示部６に残高不足のためにチケットＴの購入ができないことを表示するエラー処理を行ってステップＳ７０へ移る。一方、残高金額が入場料以上である場合、判定が満たされ、すなわちチケットＴを購入するための決済が可能であるとみなされ、ステップＳ３５へ移る。
【００５９】
ステップＳ３５では、残高金額から入場料を差し引き、次のステップＳ４０で信号処理回路２２及び高周波回路２１を介し新たな残高金額に基づく残高情報を含む書き込み信号を送信し、カード用無線タグ回路素子ＴoｃのＩＣ回路部１５１に書き込ませて決済処理を行う。この際にも上記カード用通信プロトコルに準拠した無線通信によって情報の授受を行う。そして次のステップＳ４５で、表示部６に制御信号を出力して新たな残高金額を含む残高情報を表示させる。
【００６０】
次にステップＳ５０へ移り、切り換えスイッチ２０に制御信号を出力して高周波回路２１をチケット用アンテナ１４に接続するよう切り換える。
【００６１】
次にステップＳ５５へ移り、カートリッジ駆動回路２４及びカートリッジ用モータ２３を介しローラ駆動軸１２を駆動することによりチケット基材テープ１０１を搬送しつつチケット基材テープ１０１の表面に印字ヘッド１０で発券情報を印字し（図２参照）、その後チケット用アンテナ１４を介してチケット発券装置２内部のチケットアクセスエリアＡｔ内に保持されたチケット用無線タグ回路素子Ｔoｔに対し発券情報（チケット用タグＩＤ等）を含む書き込み信号を信号処理回路２２及び高周波回路２１を介しチケット用通信プロトコルを用いて送信し、チケット用無線タグ回路素子ＴoｔのＩＣ回路部（第１ＩＣ回路部）１５１に書き込ませる。そして次のステップＳ６０で、カートリッジ駆動回路２４及びカートリッジ用モータ２３を介しローラ駆動軸１２を駆動停止させてチケット基材テープ１０１の搬送を停止し、その状態でソレノイド駆動回路２７及びソレノイド２６介しカッタ１５を駆動してチケット基材テープ１０１を切断することで、チケットＴを形成し、送出ローラ駆動回路２９及び送出ローラ用モータ２８を介し送出ローラ１７を駆動してチケットＴを外部へ排出して発券処理を行う。
【００６２】
次にステップＳ６５へ移り、表示部６に制御信号を出力して発券情報を表示させる。
【００６３】
以上の決済処理及び発券処理を行った後、又は上記ステップＳ３０のエラー処理を行った後に次のステップＳ７０へ移り、特に図示しない操作部においてこのフローを終了させる操作がなされたか否かを判定する。終了操作がなされていない場合、判定が満たされず、ステップＳ５に戻りこのフローを最初から繰り返す。一方、終了操作がなされていた場合、判定が満たされ、このフローを終了する。
【００６４】
以上において、図６のフローにおけるステップＳ１５及びステップＳ２０が、各請求項記載の情報取得手段として機能する。また、図６のフローにおけるステップＳ２５及びステップＳ３５が情報処理手段として機能する。
【００６５】
また、テープ送りローラ駆動軸１２が搬送手段を構成し、図６のフローにおけるステップＳ５５が情報書き込み手段を構成し、印字ヘッド１０が印字手段を構成し、これらと、カッタ１５とが、無線タグの発行処理を行う発行処理手段を構成する。
【００６６】
以上のように構成した本実施形態においては、プリペイドカードＣに備えられたカード用無線タグ回路素子Ｔoｃに対し、カード用アンテナ４によって情報送受信が行われ、カード用無線タグ回路素子Ｔoｃのカード用タグＩＤ及び残高情報が図６のフローにおけるステップＳ１５及びステップＳ２０によって取得される。その後、その取得されたカード用無線タグ回路素子Ｔoｃの残高情報に対応し、チケット用アンテナ１４を介してチケット用無線タグ回路素子Ｔoｔと情報送受信が行われ、このチケット用無線タグ回路素子Ｔoｔを備えたチケット基材テープ１０１を用いて印字ヘッド１０、テープ送りローラ駆動軸１２、及び図６のフローにおけるステップＳ５５でチケットＴの発券処理（発行処理）が行われる。このとき、チケット用アンテナ１４での情報送受信ではチケット用通信プロトコルを用い、カード用アンテナ４での情報送受信ではこれと異なるカード用通信プロトコルを用いるので、相互に混信の発生が防止される。
【００６７】
このようにして、１つのチケット発券装置２で、混信を防止しつつ、カード用無線タグ回路素子Ｔoｃから情報を取得する一方、チケット用無線タグ回路素子Ｔoｔに対しその取得した情報に対応した情報送受信を行ってチケットＴを発券することができるので、それぞれを別々の装置で行う場合に比べ、機器構成の簡素化を図ることができ、また動作の確実性・信頼性を向上できる。
【００６８】
また、カード用無線タグ回路素子Ｔoｃと無線通信するカードアクセスエリアＡｃを筐体３外部側に形成し、チケット用無線タグ回路素子Ｔoｔと無線通信するチケットアクセスエリアＡｔを筐体３内部側に設形成して両エリアＡｔ，Ａｃを異ならせることで、さらにそれらの混信を抑制できる効果もある。
【００６９】
また、図６のフローにおけるステップＳ２０で取得したカード用無線タグ回路素子Ｔoｃの残高情報に基づき、図６のフローにおけるステップＳ２５及びステップＳ３５で残高金額に基づくチケットＴ購入の可否判定及び残高金額を入場料分減額する決済を行うため、カード用無線タグ回路素子Ｔoｃ側の上記購入可否判定及び決済とチケット用無線タグ回路素子Ｔoｔを用いたチケットＴの発券処理とを一対一に対応付け、信頼性の高い確実なチケットＴの発券を行うことができる。
【００７０】
なお、上記ではチケット発券装置２がチケットＴを発券する例で説明したが、他の有価証券類やあるいはこれに準ずる物品類（メダル、コイン、トークン等）を発券するような場合にも適用できる。
【００７１】
また、上記実施形態では、図６に示すフローにおいてステップＳ３５及びステップＳ４０の決済処理を先に行ってからその後にステップＳ５５及びステップＳ６０の発券処理を行っていたが、これに限られない。
【００７２】
図７は決済処理よりも先に発券処理を行う場合に制御回路３０によって実行される制御手順を表すフローチャートであり、上記図６に対応する図である。この図７のフローは概略的に図６のフローとほぼ同じであり、基本的には図６のフローにおけるステップＳ３５〜ステップＳ６５の手順の順序を入れ替えていくつかの手順が変更、追加された点で異なっている。以下、上記の相違する手順について説明する。
【００７３】
図７において、ステップＳ２５で残高金額が入場料より多くチケットＴが購入可能であると判定された場合ステップＳ３５Ａに移り、図６のフローにおけるステップＳ５０と同様の制御によってチケット用アンテナ１４を高周波回路２１に接続する。
【００７４】
次にステップＳ４０Ａへ移り、上記ステップＳ５５と同様にチケット基材テープ１０１に発券情報を印字し、チケット用無線タグ回路素子Ｔoｔに対してチケット用通信プロトコルにより発券情報を書き込み、その後ステップＳ４５Ａでカッタ１５を駆動してチケット基材テープ１０１を切断することでチケットＴを形成する。
【００７５】
次にステップＳ４６Ａへ移り、上記ステップＳ３５Ａ〜ステップＳ４５ＡによるチケットＴの作成が成功したか否かを判定する。例えば所定の再試行（リトライ）回数の間に、チケット用無線タグ回路素子Ｔoｔとの情報送受信ができなかった（＝通信失敗）等のチケット作成失敗時は、判定が満たされず、ステップＳ４８Ａへ移り、表示部６に制御信号を出力してチケットＴの作成が失敗したことを表示するエラー処理を行ってステップＳ７０へ移る
【００７６】
一方、チケット作成成功時は判定が満たされてステップＳ５０Ａへ移り、図６のフローにおけるステップＳ６５と同様に表示部６に発券情報を表示させてステップＳ５３Ａへ移る。
【００７７】
ステップＳ５３Ａでは上記ステップＳ１０と同様の制御によりカード用アンテナ４を高周波回路２１に接続する。
【００７８】
次にステップＳ５３Ａ〜ステップＳ６５Ａにおいて、図６のフローにおけるステップＳ３５〜ステップＳ４５と同様の手順により決済処理を行い、次のステップＳ６８Ａで送出ローラ１７を駆動してチケットＴを外部へ排出して発券してからステップＳ７０へ移る。他の手順については、図６と同様であり、説明を省略する。
【００７９】
以上の手順でチケットＴの発券を行った場合には、チケットＴの作成が成功したことを確認した上で決済処理を行うため、決済を行っていながら正常なチケットＴの発券ができなくなる状態を回避することができる。このとき、先にチケットＴの作成が終わっていても、その後の決済処理が終わってからチケットＴを排出して（ステップＳ６８Ａ）発券することにより、残高を減額する前にユーザ５がチケットＴを入手してプリペイドカードＣをカードアクセスエリアＡｃから離され、カード用無線タグ回路素子Ｔoｃに減額した残高金額を書き込み損ねることを防ぐことができる。
【００８０】
なお、本発明は、上記一実施形態に限られるものではなく、その趣旨及び技術思想を逸脱しない範囲で種々の変形が可能である。以下、そのような変形例を順を追って説明する。
【００８１】
（１）残高情報をデータベースで管理する場合
上記実施形態では、プリペイドカードＣが備えるカード用無線タグ回路素子Ｔoｃに残高情報を記憶させて管理していたが、本発明はこれに限られず、残高情報をチケット発券装置２側に設けたデータベースで記憶し管理してもよい。
【００８２】
図８は、残高情報をチケット発券装置２側に設けたデータベースで管理する場合のチケット発券装置２の詳細構造を表す概念的構成図であり、上記図２に対応する図である。なお、上記実施形態におけるチケット発券装置２の構成（図２参照）と同等の部分については同じ符号を付して適宜説明を省略する。
【００８３】
図８において、チケット発券装置２は制御回路３０と情報信号の授受が可能に接続されたデータベース（図中ではＤＢと省略）５１を備えている。このデータベース５１は、例えばハードディスク装置などの大容量記憶装置で構成されており、各プリペイドカードＣのカード用無線タグ回路素子Ｔoｃが記憶するカード用タグＩＤを当該カードの残高情報と関連付けてデータベース５１が記憶している（さらにそのプリペイドカードＣを所持するユーザ５の識別情報(ユーザＩＤ)やその他の個人情報を記憶してもよい）。なお、データベース５１は、チケット発券装置２内に設けるのに限らず、何らかの通信回線を介して情報信号を送受可能に接続した外部のデータベース５１を利用してもよい。
【００８４】
図９は本変形例のチケット発券装置２においてチケットＴを発券する際に制御回路３０によって実行される制御手順を表すフローチャートであり、上記実施形態における図６に対応する図である。この図９のフローは概略的に図６のフローとほぼ同じであり、基本的には図６のフローにおけるステップＳ２０に代えてステップＳ２０Ｂを行い、ステップＳ４０に代えてステップＳ４０Ｂを行う点で異なっている。以下、上記の相違する手順について説明する。
【００８５】
図９において、図６のフローにおけるステップＳ２０に代えて行うステップＳ２０Ｂでは、上記ステップＳ１５において検出したカード用タグＩＤを用いてデータベース５１にアクセスし、対応する残高情報をデータベース５１から抽出し取得する。また、図６のフローにおけるステップＳ４０に代えて行うステップＳ４０Ｂでは、カード用タグＩＤを用いてデータベース５１にアクセスし、上記ステップＳ３５で残高金額から入場料を減額した新たな残高情報を、カード用タグＩＤに対応させてデータベース５１に書き込み上書き更新する（情報処理手段として機能）。
【００８６】
以上のように構成した本変形例においては、プリペイドカードＣ（この例ではユーザ５を認証するカードとしても機能する）のカード用無線タグ回路素子Ｔoｃがカード用タグＩＤのみを記憶していればよいため、ＩＣ回路部１５１が備えるメモリ部１５７の構成を簡略化できるとともに、チケット発券装置２側のカード用アンテナ４とカード用無線タグ回路素子Ｔoｃとの間のカード用通信プロトコルによる情報送受信も、カード用無線タグ回路素子Ｔoｃからのカード用タグＩＤの読み取りだけで済むため無線通信の確実性を向上させることができる。
【００８７】
また、データベース５１は無線タグ回路素子Ｔoｔ，ＴoｃのＩＣ回路部が備える上記メモリ部１５７よりも各段に大きい容量の情報を記憶することができるため、カード用タグＩＤ及びユーザＩＤに対応させて様々な個人情報を記憶させることができる。そしてその個人情報の内容に対応して決済処理や発券情報を変更させることも可能である。例えば過去のチケットＴの購入回数を個人情報として記憶しておき、その購入回数の多さに応じた入場料（チケット購入金額）の割り引きを行うことも可能であり、他にも株主優待制度や会員割引制度などの料金サービスを適用することができる。また、個人情報に応じて入場制限や入場期限などの発券情報を変更することも可能である。
【００８８】
またこの変形例は、カード用無線タグ回路素子Ｔoｃにカード用タグＩＤだけを記憶させているが、上記実施形態のように残高情報も併せて記憶させていてもよい。
【００８９】
（２）発行させる無線タグの種類別に複数のカード用アンテナ４を備える場合
上記実施形態では、一つのチケット発券装置２で発券するチケットＴの種類が一つだけであり、それに応じてカード用アンテナ４も一つのみ設けた構成となっていたが、本発明はこれに限られず、一つのチケット発券装置２で複数の種類のチケットＴを発券可能とし、その種類に応じてプリペイドカードＣのカード用無線タグ回路素子Ｔoｃを検出するカード用アンテナ４を複数設ける構成としてもよい。なお、上記実施形態におけるチケット発券装置２の構成（図２参照）と同等の部分については同じ符号を付して適宜説明を省略する。
【００９０】
図１０は、本変形例の無線タグ発行機が適用されるチケット発券システムの外観を表す斜視図であり、上記図１に対応する図である。
【００９１】
この図１０において、本変形例のチケット発券システムは、大人用と小人用の入場料が異なる２種類のチケットＴを発券するものであり、チケット発券装置２の筐体３の前面には大人用チケットと小人用チケットのそれぞれに対応する第１カード用アンテナ４Ａと第２カード用アンテナ４Ｂが表設されている。ユーザ５は、購入しようとするチケットＴの種類に対応するカード用アンテナ４Ａ，４Ｂの前にプリペイドカードＣを近接させ（又は接触させ）、所定の条件が満たされていることで希望する種類のチケットＴがチケット発券装置２から発券される。
【００９２】
図１１は、本変形例におけるチケット発券装置２の詳細構造を表す概念的構成図であり、上記実施形態における図２に対応する図である。この図１１において、上述したように筐体３には同じ平面アンテナで構成する第１カード用アンテナ４Ａと第２カード用アンテナ４Ｂが併設されており、それらカード用アンテナ４Ａ，４Ｂはいずれも切り換えスイッチ２０に接続されている。切り換えスイッチ２０は、制御回路３０からの選択信号によりチケット用アンテナ１４、第１カード用アンテナ４Ａ、及び第２カード用アンテナ４Ｂのいずれか一つを高周波回路２１の送受分離器３４（図３参照）に接続するようになっている。
【００９３】
また、２つのカード用アンテナ４Ａ，４Ｂがそれぞれカード用無線タグ回路素子Ｔoｃと有効に無線通信できるカードアクセスエリアＡｃ1，Ａｃ2を互いに重複させないよう、２つのカード用アンテナ４Ａ，４Ｂはそれらの間に十分な間隔を確保した配置で設けられている。そして、制御回路３０及び信号処理回路２２の制御により、２つのカード用アンテナ４Ａ，４Ｂに対しては同じカード用通信プロトコルによってカード用無線タグ回路素子Ｔoｃと無線通信するようになっている。
【００９４】
図１２は、本変形例のチケット発券装置２においてチケットＴを発券する際に制御回路３０によって実行される制御手順を表すフローチャートであり、上記実施形態における図６に対応する図である。この図１２のフローは概略的に図６のフローとほぼ同じであり、基本的には図６のフローにおけるステップＳ１０及びステップＳ１５に代えてステップＳ１００の種類別検出処理を行う点で異なっている。そしてステップＳ２５及びステップＳ３５で用いられる入場料の金額と、ステップＳ５５及びステップＳ６５で用いられる発券情報の内容は、後述するようにステップＳ１００の種類別検出処理においてどちらのカード用アンテナ４Ａ，４Ｂでカード用無線タグ回路素子Ｔoｃを検出したかに応じて設定されている。他の手順については、図６と同様であり、説明を省略する。
【００９５】
図１３は、チケット発券装置２の制御回路３０が上記ステップＳ１００において実行する種類別検出処理の詳細手順を表すフローチャートである。この図１３において、まずステップＳ１０５において、切り換えスイッチ２０に制御信号を出力して高周波回路２１を第１カード用アンテナ４Ａ（大人用）に接続するよう切り換える。
【００９６】
次にステップＳ１１０へ移り、上記実施形態の図６のフローにおけるステップＳ１５と同様の制御により、第１カード用アンテナ４Ａを介してカード用通信プロトコルによりチケット発券装置２外部の第１カードアクセスエリアＡｃ１内にプリペイドカードＣのカード用無線タグ回路素子Ｔoｃが検出されたか否かを判定する。すなわち、第１カード用アンテナ４Ａがカード用タグＩＤ（第２無線タグ回路素子の識別情報）を含む応答信号を受信したか否かを判定する。第１カードアクセスエリアＡｃ１内にカード用無線タグ回路素子Ｔoｃが検出されていない場合、判定が満たされず、次のステップＳ１１５へ移る。
【００９７】
ステップＳ１１５では、切り換えスイッチ２０に制御信号を出力して高周波回路２１を第２カード用アンテナ４Ｂ（小人用）に接続するよう切り換える。
【００９８】
次にステップＳ１２０へ移り、上記ステップＳ１０５と同様の制御により、第２カード用アンテナ４Ｂを介してカード用通信プロトコルによりチケット発券装置２外部の第２カードアクセスエリアＡｃ２内にプリペイドカードＣのカード用無線タグ回路素子Ｔoｃが検出されたか否かを判定する。第２カードアクセスエリアＡｃ２内にカード用無線タグ回路素子Ｔoｃが検出されていない場合、判定が満たされず、ステップＳ１０５へ戻り、同様の手順を繰り返す。
【００９９】
一方、上記ステップＳ１１０において、第１カードアクセスエリアＡｃ１内にプリペイドカードＣのカード用無線タグ回路素子Ｔoｃが検出された場合、判定が満たされ、すなわちユーザ５がプリペイドカードＣを第１カード用アンテナ４Ａの前に近接させ（又は接触させ）て大人用の入場券の購入を選択したものとみなされ、ステップＳ１２５へ移る。
【０１００】
ステップＳ１２５では、入場料を大人用の金額（例えば５００円）に設定し、次のステップＳ１３０で発券情報を大人用の内容に設定して、このフローを終了する。これにより、図１２のフローに戻った際、ステップＳ２５及びステップＳ３５で用いられる入場料は大人用の金額に設定され、ステップＳ５５及びステップＳ６５で用いられる発券情報も大人用の内容に設定される。
【０１０１】
一方、上記ステップＳ１２０において、第２カードアクセスエリアＡｃ２内にプリペイドカードＣのカード用無線タグ回路素子Ｔoｃが検出された場合、判定が満たされ、すなわちユーザ５がプリペイドカードＣを第２カード用アンテナ４Ｂの前に近接させ（又は接触させ）て小人用の入場券の購入を選択したものとみなされ、ステップＳ１３５へ移る。
【０１０２】
ステップＳ１３５では、入場料を小人用の金額（図１０に図示する例では３００円）に設定し、次のステップＳ１４０で発券情報を小人用の内容に設定して、このフローを終了する。これにより、図１２のフローに戻った際、入場料の金額と発券情報の内容は小人用に設定される。
【０１０３】
以上において、図１２のフローにおけるステップＳ２０と、図１３のフローにおけるステップＳ１１０及びステップＳ１２０が、情報取得手段として機能する。
【０１０４】
以上のように構成した本変形例においては、図１３のフローにおけるステップＳ１１０及びステップＳ１２０で、第１カード用アンテナ４Ａと第２カード用アンテナ４Ｂのいずれか一方を介し、カード用通信プロトコルを用いて、カード用無線タグ回路素子Ｔoｃのカード用タグＩＤを取得し、いずれのカード用アンテナ４Ａ，４Ｂを介してカード用タグＩＤを取得したかに応じて、異なる種類のチケットＴの発券処理を行っている。
【０１０５】
これにより、ユーザ５は、いずれの種類のチケットＴの発券処理を希望するかに応じて、通信させる側のカード用アンテナ４Ａ，４Ｂに対しカード用無線タグ回路素子Ｔoｃを備えたプリペイドカードＣを近接又は接触させる、すなわちカード用無線タグ回路素子Ｔoｃに通信を行わせるカード用アンテナ４Ａ，４Ｂを選択することにより、簡単に所望の種類のチケットＴを発券させることができる。
【０１０６】
（３）その他
なお、以上においては、チケット基材テープ１０１に備えられるチケット用無線タグ回路素子Ｔoｔとの間でチケット用通信プロトコルを用いて無線通信を行うチケット用アンテナアンテナ１４と、プリペイドカードＣに備えられるカード用無線タグ回路素子Ｔoｃとの間でカード用通信プロトコルを用いて無線通信を行うカード用アンテナ（第２装置側アンテナ手段）４とを別々のアンテナとして構成したが、これに限られず１つの共通のアンテナとし、指向性制御等によりチケット用無線タグ回路素子Ｔoｔ又はカード用無線タグ回路素子Ｔoｃに選択的に情報通信を行うようにしてもよい。この場合も上記のように通信プロトコルを切り替えるようにすればよい。
【０１０７】
また、以上においては、移動中のチケット基材テープ１０１に対して発券情報などの書き込みや印字を行う例を示したが、これに限られず、チケット基材テープ１０１等を所定位置で停止させて（さらに書き込みについては所定の搬送ガイド１３にて保持した状態としてもよい）上記印字や書き込みを行うようにしてもよい。
【０１０８】
また、以上において、印字及びチケット用無線タグ回路素子Ｔoｔへのアクセス（書き込み）の終了したチケット基材テープ１０１をカッタ１５で切断してチケットＴを作成した場合を例にとって説明したが、これに限られない。すなわち、チケットＴに対応した所定の大きさに予め分離されたチケット台紙（いわゆるダイカットタイプ）がロールから繰り出されるテープ上に連続配置されているような場合には、カッタ１５で切断しなくても、テープが排出口７から排出されてきた後にチケット台紙（アクセス済みのチケット用無線タグ回路素子Ｔoｔが備えられかつ対応する印字がなされたもの）のみをテープから剥がしてチケットＴを作成しても良く、本発明はこのようなものに対しても適用できる。
【０１０９】
また、以上においては、チケット基材テープ１０１の表面に印字を行う方式（貼りあわせを行わないタイプ）であったが、これに限られず、チケット用無線タグ回路素子Ｔoｔを備えたチケット基材テープ１０１とは別のカバーフィルム（被印字媒体）に印字を行ってこれらを貼り合わせる方式に本発明を適用してもよい。さらに、チケット用無線タグ回路素子ＴoｔのＩＣ回路部１５１からチケット用タグＩＤの読み出し又は書き込みを行うと共に、印字ヘッド１０によってそのチケット用無線タグ回路素子Ｔoｔを識別するための印刷を行うものにも限られない。この印刷は必ずしも行われなくともよく、チケット用タグＩＤの読み出し又は発券情報の書き込みのみを行うものに対し本発明を適用することもできる。
【０１１０】
さらに、以上は、チケット基材テープ１０１が特に図示しないリール部材の周りに巻回されてチケット基材ロール１０２を構成し、カートリッジ１００内にそのチケット基材ロール１０２が配置されてチケット基材テープ１０１が繰り出される場合を例にとって説明したが、これに限られない。例えば、チケット用無線タグ回路素子Ｔoｔが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをチケット発券装置２側のカートリッジホルダに装着して、上記収納部から移送、搬送して印字及び書き込みを行いチケットＴを作成するようにしてもよい。
【０１１１】
さらには上記チケット基材ロール１０２を直接チケット発券装置２側に着脱可能に装着する構成や、長尺平紙状あるいは短冊状のテープやシートをチケット発券装置２外より１枚ずつ所定のフィーダ機構によって移送しチケット発券装置２内へ供給する構成も考えられ、さらにはカートリッジ１００のようなチケット発券装置２本体側に着脱可能なものにも限られず、装置本体側に着脱不能のいわゆる据え付け型あるいは一体型としてチケット基材ロール１０２を設けることも考えられる。この場合も同様の効果を得る。
【０１１２】
また、本発明は、上述したような紙製の入場券であるチケットＴを発券するチケット発券装置２以外にも、前述したように、例えばトークンを作成する装置や、無料のクーポン、割り引き券を発行、発券する装置にも適用可能である。
【０１１３】
また、以上既に述べた以外にも、上記実施形態や各変形例による手法を適宜組み合わせて利用しても良い。
【０１１４】
その他、一々例示はしないが、本発明は、その趣旨を逸脱しない範囲内において、種々の変更が加えられて実施されるものである。
【図面の簡単な説明】
【０１１５】
【図１】本発明の一実施形態の無線タグ発行機が適用されるチケット発券システムの外観を表す斜視図である。
【図２】チケット発券装置の詳細構造を表す概念的構成図である。
【図３】高周波回路の詳細機能及びその周辺の構成を表す機能ブロック図である。
【図４】無線タグ回路素子の機能的構成を表す機能ブロック図である。
【図５】チケット用無線タグ回路素子を備えて印字が行われ切断が完了したチケットの外観の一例を表す上面図及び下面図である。
【図６】チケットの発券を行う際に制御回路によって実行される制御手順を表すフローチャートである。
【図７】チケットの発券を行う際に決済処理よりも先に発券処理を行う場合の制御回路によって実行される制御手順を表すフローチャートである。
【図８】残高情報をデータベースで管理する変形例におけるチケット発券装置の詳細構造を表す概念的構成図である。
【図９】残高情報をデータベースで管理する変形例のチケット発券装置においてチケットを発券する際に制御回路によって実行される制御手順を表すフローチャートである。
【図１０】複数のカード用アンテナを備える変形例におけるチケット発券システムの外観を表す斜視図である。
【図１１】複数のカード用アンテナを備える変形例におけるチケット発券装置の詳細構造を表す概念的構成図である。
【図１２】複数のカード用アンテナを備える変形例におけるチケット発券装置においてチケットを発券する際に制御回路によって実行される制御手順を表すフローチャートである。
【図１３】図１２におけるステップＳ１００の種類別検出処理の詳細手順を表すフローチャートである。
【符号の説明】
【０１１６】
１                チケット発券システム
２                チケット発券装置（装置本体）
４                カード用アンテナ（第２装置側アンテナ手段）
４Ａ              第１カード用アンテナ
４Ｂ              第２カード用アンテナ
１０              印字ヘッド（印字手段、発行処理手段）
１２              テープ送りローラ駆動軸（搬送手段、発行処理手段）
１５              カッタ（発行処理手段）
１４              チケット用アンテナ（第１装置側アンテナ手段）
２０              切り換えスイッチ
２１              高周波回路
２２              信号処理回路
３０              制御回路
５１              データベース
１０１            チケット基材テープ
Ｔ                チケット（無線タグ；有価証券類に準ずる物品類）
Ｔoｔ             チケット用無線タグ回路素子（第１無線タグ回路素子）
Ｃ                プリペイドカード
Ｔoｃ             カード用無線タグ回路素子（第２無線タグ回路素子）
Ａｔ              チケットアクセスエリア
Ａｃ              カードアクセスエリア         
Ａｃ１            第１カードアクセスエリア
Ａｃ２            第２カードアクセスエリア
【図１】
2007286756.tif 000003
【図２】
2007286756.tif 000004
【図３】
2007286756.tif 000005
【図４】
2007286756.tif 000006
【図５】
2007286756.tif 000007
【図６】
2007286756.tif 000008
【図７】
2007286756.tif 000009
【図８】
2007286756.tif 000010
【図９】
2007286756.tif 000011
【図１０】
2007286756.tif 000012
【図１１】
2007286756.tif 000013
【図１２】
2007286756.tif 000014
【図１３】
2007286756.tif 000015